(57)【特許請求の範囲】
【請求項１】
ＬＥＤ発光部を収容する器具本体と、
前記器具本体に接続して前記ＬＥＤ発光部の発する熱を放出する放熱フィンと、を有し、
前記器具本体および前記放熱フィンの少なくとも一方に前記ＬＥＤ発光部に接続される電線を配線する電線配線孔を設けるとともに、前記器具本体および前記放熱フィンの協働により前記電線を挟持する照明器具。
【請求項２】
請求項１に記載の照明器具において、
前記電線配線孔が、前記器具本体と前記放熱フィンとの取付部近傍に設けられた照明器具。
【請求項３】
請求項１または請求項２に記載の照明器具において、
前記放熱フィンの下面で前記電線配線孔の近傍に、前記電線をガイドするガイド用突起を有する照明器具。
【請求項４】
請求項３に記載の照明器具において、
前記ガイド用突起の近傍に、前記電線を挟む第２のガイド用突起を設けた照明器具。
【請求項５】
請求項１ないし請求項４のうちのいずれか１項に記載の照明器具において、
前記電線配線孔は一部開口しており、前記開口に向かって突出する突出部を設けた照明器具。
【発明の詳細な説明】
【技術分野】
【０００１】
本発明は、ＬＥＤ発光部を光源として有し、主に天井等に設けて下方を照らす照明器具に関するものである。
【背景技術】
【０００２】
従来より、ＬＥＤを用いて、例えば下方を照らすＬＥＤ照明器具が知られている（例えば、特許文献１参照）。
図４に示すように、特許文献１に記載のＬＥＤ照明器具１０１は、例えば、天井からつり下げられて使用されるペンダントライト（天井つり下げ灯）である。このＬＥＤ照明器具１０１は、ＬＥＤ１０２ａ・１０２ａ・・・が実装されたＬＥＤ基板１０２と、このＬＥＤ基板１０２に電力を供給する電源回路１０３とを有する。また、ＬＥＤ基板１０２を収納するＬＥＤケーシング１０４と、このＬＥＤケーシング１０４とは別体に構成され、電源回路１０３を収納する電源ケーシング１０５とを有する。ＬＥＤケーシング１０４と電源ケーシング１０５とは、相互に着脱可能に組み付けられている。
電源回路１０３は、電源線１０６により商用電源に接続されている。また、ＬＥＤ基板１０２は、電線１０７により電源回路１０３に接続されている。
【先行技術文献】
【特許文献】
【０００３】
【特許文献１】特開２００８−２５８０６６号公報（第２図）
【発明の概要】
【発明が解決しようとする課題】
【０００４】
ところで、図５（Ａ）に示す照明器具１１０では、ＬＥＤチップを実装したＬＥＤ基板を収容する器具本体１１１と、熱を放出する放熱フィン１１２とを、ねじ１１８で一体化する。放熱フィン１１２の上には、ＬＥＤ基板に電力を供給する電源装置１１３が取り付けられており、ＬＥＤ基板と電源装置１１３とは、電線１１４により電気的に接続されている。
【０００５】
図５（Ｂ）に示すように、ＬＥＤ基板に接続された電線１１４は、器具本体１１１に設けられている電線孔１１５を通って器具本体１１１の外に出て配線される。電線１１４は、張力がかからないように、放熱フィン１１２の底板にねじ１１７で取り付けられている電線止め金具１１６によって、放熱フィン１１２の外側に固定される。
【０００６】
しかしながら、前述したような照明器具１１０においては、ＬＥＤ基板に接続されている電線１１４に張力がかからないように、電線止め金具１１６により電線１１４を固定しているので、電線止め金具１１６およびねじ１１７等の部品が必要になるとともに、電線１１４を電線止め金具１１６に通してねじ１１７を締め付ける必要があるため、取付工数がかかり、面倒であるという問題があった。
【０００７】
本発明は、従来の問題を解決するためになされたもので、器具本体から引き出された電線を、金具等の別部品を用いることなく容易に固定することにより、部品点数の削減および作業工数の削減が図れる照明器具を提供することを目的とする。
【課題を解決するための手段】
【０００８】
本発明の照明器具は、ＬＥＤ発光部を収容する器具本体と、器具本体に接続してＬＥＤ発光部の発する熱を放出する放熱フィンと、を有し、器具本体および放熱フィンの少なくとも一方にＬＥＤ発光部に接続される電線を配線する電線配線孔を設けるとともに、器具本体および放熱フィンの協働により電線を挟持するものである。
【０００９】
また、本発明の照明器具は、電線配線孔が、器具本体と放熱フィンとの取付部近傍に設けられたものである。
【００１０】
また、本発明の照明器具は、放熱フィンの下面で電線配線孔の近傍に、電線をガイドするガイド用突起を有するものである。
【００１１】
また、本発明の照明器具は、ガイド用突起の近傍に、電線を挟む第２のガイド用突起を設けたものである。
【００１２】
さらに、本発明の照明器具は、電線配線孔は一部開口しており、開口に向かって突出する突出部を設けたものである。
【発明の効果】
【００１３】
本発明は、器具本体および放熱フィンの少なくとも一方にＬＥＤ発光部に接続される電線を配線する電線配線孔を設けるとともに、器具本体および放熱フィンの協働により電線を挟持するので、器具本体から引き出された電線を、金具等の別部品を用いることなく容易に固定でき、部品点数の削減および作業工数の削減が図れるという効果を有する照明器具を提供できる。
【図面の簡単な説明】
【００１４】
【図１】（Ａ）は本発明に係る実施形態の照明器具を上方から見た斜視図であり、（Ｂ）は（Ａ）中Ｂ部の拡大図
【図２】（Ａ）は放熱フィンおよび発光部を下方から見た分解斜視図であり、（Ｂ）はＬＥＤ発光部を構成するＬＥＤパッケージの断面図
【図３】図２中ＩＩＩ部分の拡大図
【図４】従来のＬＥＤを用いた照明器具の断面図
【図５】（Ａ）は従来の照明器具における問題点を示す斜視図であり、（Ｂ）は（Ａ）中Ｂ部の拡大図
【発明を実施するための形態】
【００１５】
以下、本発明の実施形態の照明器具について、図面を用いて説明する。
図１に示すように、本発明に係る実施形態の照明器具１０は、天井１１に設けられた取付孔（図示省略）に埋設して下方を照明するダウンライトとして用いることができる。照明器具１０は、器具本体２０と、器具本体２０に収容された光源であるＬＥＤ発光部３０（図２参照）と、放熱フィン４０と、点灯電源装置５０を有する。
【００１６】
器具本体２０は、絶縁性を有する硬質な樹脂材料からなる周板２１により円筒形状に形成されており、照射方向前方（ここでは、下方）に開口している。周板２１の下端面には、リング状の鍔部材２２が設けられており、器具本体２０を天井１１の取付孔に取り付けた際に、天井１１の下面に当接して露出する。周板２１の外周面には、複数（ここでは、例えば２個）の取付ばね２３が所定間隔で取り付けられている。また、周板２１の外周面には、上側に放熱フィン４０を取り付けるために部分円筒形状の放熱フィン取付部２４が所定間隔で複数設けられており、放熱フィン取付部２４の上端面にはねじ孔（図示省略）が形成されている。
【００１７】
図２に示すように、ＬＥＤ発光部３０は器具本体２０の内側に収容されるものであり、基板３１にＬＥＤチップ３２を実装し、レンズ３３で覆ったＬＥＤパッケージ３４を下方に向けて複数個有する。
【００１８】
図１および図２に示すように、放熱フィン４０は、器具本体２０の周板２１の上端面２１１の形状に対応する略円板状のベース４１と、ベース４１の上面から上方へ立設された複数の薄板状のフィン４２を有し、フィン４２の上側には点灯電源装置５０が取り付けられている。ベース４１の外周部には、器具本体２０の周板２１に設けられている放熱フィン取付部２４に対応して、複数個の取付ねじ孔４３（図３参照）が設けられている。
従って、取付ねじ２５を取付ねじ孔４３に挿通し、ベース４１の周板２１に設けられている放熱フィン取付部２４のねじ孔に締め付けることにより、器具本体２０と放熱フィン４０を一体的に接合する。
【００１９】
図３に示すように、ＬＥＤ発光部３０と点灯電源装置５０とを電気的に接続する電線５１を配線するために、電線配線孔４４が、器具本体２０および放熱フィン４０の少なくとも一方に設けられる。また、電線配線孔４４は、器具本体２０と放熱フィン４０との取付部である器具本体２０の周板２１および放熱フィン４０のベース４１の近傍に設けられる。
ここでは、電線配線孔４４は、例えば、放熱フィン４０のベース４１の外周部に設けられる。
【００２０】
図１（Ｂ）に示すように、電線配線孔４４は、電線５１が通過できる略円形状をしていて、少なくとも器具本体２０の周板２１の上端面２１１が電線配線孔４４の内部に露出する大きさに設定されている。
従って、放熱フィン４０を器具本体２０に取り付けると、電線配線孔４４の一部が器具本体２０の周板２１により塞がれるので、電線５１は、放熱フィン４０のベース４１と、器具本体２０の周板２１との協働により挟持される。
【００２１】
図３に示すように、電線配線孔４４はベース４１の外周部に設けられており、一部が外側に開口（開口部４４１）している。また、電線配線孔４４には、開口部４４１に向かって突出する突出部４５が設けられている。突出部４５は、例えば半円形断面を有する柱状とすることができる。また、突出部４５の先端と、対向する電線配線孔４４の内面との間隔は、電線５１の外径よりも小さめに設定する。
なお、ここでは、取付ねじ孔４３の両側に電線配線孔４４を設けたが、個数および場所は、取付ねじ孔４３の両側に限定するものではない。
【００２２】
放熱フィン４０のベース４１の下面中央には、ＬＥＤ発光部３０に内嵌するように円筒形状の内筒部４６が設けられており、内筒部４６の外側で電線配線孔４４の近傍には、電線５１をガイドするガイド用突起４７が下方へ突出して設けられている。ここでは、電線配線孔４４が取付ねじ孔４３を挟んで両側に設けられているので、これに対応して、ガイド用突起４７も左右に一対設けられている。
なお、ガイド用突起４７と内筒部４６との間の間隔は、電線５１の外径よりも小さめとする。
【００２３】
さらに、ガイド用突起４７の近傍には、電線５１を挟む第２のガイド用突起４８を設ける。第２のガイド用突起４８は、内筒部４６に直交して取付ねじ孔４３に向かうように設けられている。ガイド用突起４７と第２のガイド用突起４８との間には、電線５１の外径よりも小さめの隙間が設けられており、電線５１を押し込むことにより、挟持できる。
【００２４】
次に、照明器具１０の組立方および天井１１への取り付け方について説明する。
まず、照明器具１０を組み立てる際には、電線５１の一端をＬＥＤ発光部３０に接続し、電線５１をガイド用突起４７と内筒部４６との間に押し込み、さらにガイド用突起４７と第２のガイド用突起４８との間に押し込む。
そして、電線配線孔４４と突出部４５との間に電線５１を押し込んで仮固定し、電線５１を放熱フィン４０の外側へ配線して、放熱フィン４０の上側の点灯電源装置５０に接続する。その後、器具本体２０にＬＥＤ発光部３０を収容し、器具本体２０と放熱フィン４０とを取付ねじ２５で接合する。
【００２５】
次に、照明器具１０を天井１１の取付孔に取り付ける際には、取付ばね２３を器具本体２０の上方（図１（Ａ）中矢印Ａ方向）へ弾性変形させて取付孔に挿入する。その後、手を放して取付ばね２３が水平方向へ開くことにより、取付ばね２３の下面と器具本体２０の鍔部材２２の上面との間に天井１１を挟んで、照明器具１０を天井１１に固定する。
【００２６】
以上、説明した本発明に係る実施形態の照明器具１０は、ＬＥＤ発光部３０を収容する器具本体２０と、ＬＥＤ発光部３０の発する熱を放出する放熱フィン４０とを接続して構成される。そして、放熱フィン４０のベース４１に、ＬＥＤ発光部３０に接続される電線５１を配線する電線配線孔４４を設けるとともに、器具本体２０および放熱フィン４０の協働により電線５１を挟持するので、器具本体２０から引き出された電線５１を、金具等の別部品を用いることなく容易に固定でき、部品点数の削減および作業工数の削減が図れる。
【００２７】
また、電線配線孔４４を器具本体２０と放熱フィン４０との取付部近傍である放熱フィン４０のベース４１の外周部に設けたので、器具本体２０および放熱フィン４０の協働により電線５１を挟持でき、金具等の別部品を用いることなく容易に固定でき、部品点数の削減および作業工数の削減が図れる。
【００２８】
また、電線５１を、放熱フィン４０のベース４１の下面で電線配線孔４４の近傍に設けられたガイド用突起４７に沿って配線することにより、電線５１を放熱フィン４０の下面に固定できるので、器具本体２０と放熱フィン４０とを接続する際に、電線５１のかみこみを防止でき、組立性が向上する。
【００２９】
また、ガイド用突起４７の近傍に第２のガイド用突起４８を設けたので、ガイド用突起４７と第２のガイド用突起４８とで電線５１を挟み込むことにより、電線５１を放熱フィン４０の下面に固定でき、器具本体２０と放熱フィン４０とを接続する際に、電線５１のかみこみを防止でき、組立性が向上する。
【００３０】
また、電線配線孔４４に、開口部４４１に向かって突出する突出部４５を設けたので、電線５１を容易に仮固定でき、仮固定した状態で器具本体２０と放熱フィン４０とを接続でき、取付作業性が向上する。
【００３１】
なお、本発明の照明器具は、前述した実施形態に限定されるものでなく、適宜な変形，改良等が可能である。
例えば、前述した実施形態においては、器具本体２０および放熱フィン４０の少なくとも一方として放熱フィン４０のベース４１に電線配線孔４４を設けた場合を例示したが、電線配線孔４４を器具本体２０側に設けることも可能である。
【符号の説明】
【００３２】
１０  照明器具
２０  器具本体
３０  ＬＥＤ発光部
４０  放熱フィン
４１  ベース（取付部）
４４  電線配線孔
４４１  開口部（開口）
４７  ガイド用突起
４８  第２のガイド用突起
５１  電線
【図１】
0005519445.tif 000002
【図２】
0005519445.tif 000003
【図３】
0005519445.tif 000004
【図４】
0005519445.tif 000005
【図５】
0005519445.tif 000006